(57)【特許請求の範囲】
【請求項１】
多孔質媒体（２４）の少なくとも１つの性質を改変する流体の多孔質媒体（２４）を通る流れ（Ｆ）により多孔質媒体（２４）を流体に曝露する処理中において多孔質媒体（２４）を支持する方法であって、
軸に沿って延在する有孔支持コア（５８）を用意し、
多孔質媒体（２４）を有孔支持コア（５８）の回りに複数の層として巻き付けて多孔質媒体（２４）の第１のロール（６０）を形成し、
第１のロール（６０）の各端部に、第１のロール（６０）の端部に直径方向の圧力を作用させて第１のロール（６０）の端部から軸方向に流出する流体の流れを防止しながら、第１のロール（６０）に巻き付けられた多孔質媒体（２４）の細孔を通って半径方向に向けて流れる流体の流れ（Ｆ）を形成するための第１の固定機構（６２）を設け、
追加量の多孔質媒体（２４）を第１のロール（６０）の回りに複数の層として巻き付けて多孔質媒体（２４）の第２のロール（６４）を形成し、
第２のロール（６４）の巻き付けた層の各端部に、第２のロール（６４）の端部に直径方向の圧力を作用させて第２のロール（６４）の端部から軸方向に流出する流体の流れを防止しながら、第２のロール（６４）に巻き付けられた多孔質媒体（２４）の細孔を通って半径方向に向けて流れる流体の流れ（Ｆ）を形成するための第２の固定機構（６６）を設けること、
を含む方法。
【請求項２】
第１及び第２の固定機構（６２）及び（６６）を設ける工程がそれぞれのロールを取り囲むバンドを設けることを含む、請求項１記載の方法。
【請求項３】
バンドがステンレス鋼である、請求項２記載の方法。
【請求項４】
有孔支持コア（５８）を用意する工程が、その中を貫通する多数の開口（６８）を有する中空シリンダーとして有孔支持コア（５８）を用意することを含む、請求項１記載の方法。
【請求項５】
有孔支持コア（５８）を用意する工程が、有孔支持コア（５８）の一方の端部を閉鎖する第１の端部キャップ（７０）、及び有孔支持コア（５８）の他の端部を閉鎖する第２の端部キャップ（７６）を用意することを含んでおり、第１の端部キャップの入口（７４）が処理流体を導く、請求項１記載の方法。
【請求項６】
多孔質媒体（２４）が、相互に連結する細孔を有する延伸ポリテトラフルオロエチレン（ｅＰＴＦＥ）の膜を含む、請求項１記載の方法。
【請求項７】
第２の固定機構（６６）を設ける工程が、半径方向で第１の固定機構（６２）と重なるように第２の固定機構（６６）を設ける、請求項１記載の方法。
【請求項８】
第１及び第２のロール（６０、６４）が複数のロールの少なくとも一部分である、請求
項１記載の方法。
【請求項９】
多孔質媒体（２４）の少なくとも１つの性質を改変する流体に、多孔質媒体（２４）を通る流体の流れ（Ｆ）によって多孔質媒体（２４）を曝露する処理中に多孔質媒体（２４）を支持するためのアセンブリ（１００）であって、
軸に沿って延在する有孔支持コア（５８）であり、多孔質媒体（２４）が有孔支持コア（５８）の回りに複数の層として巻き付けられて多孔質媒体（２４）の第１のロール（６０）を形成している、有孔支持コア（５８）と、
第１のロール（６０）の各端部において、第１のロール（６０）の端部に直径方向の圧力をかけて、第１のロール（６０）の端部から軸方向に流出する流体の流れを防止しながら、第１のロール（６０）に巻き付けられた多孔質媒体（２４）の細孔を通って半径方向に向けて流れる流体の流れ（Ｆ）を形成する第１の固定機構（６２）であり、追加量の多孔質媒体（２４）が第１のロール（６０）に複数の層として巻き付けられて多孔質媒体（２４）の第２のロール（６４）を形成する、第１の固定機構（６２）と、
第２のロール（６４）の巻き付けられた層の各端部において、第２のロール（６４）の端部に直径方向の圧力をかけて、第２のロール（６４）の端部から軸方向に流出する流体の流れを防止しながら、第２のロール（６４）に巻き付けられた多孔質媒体（２４）の細孔を通って半径方向に向けて流れる流体の流れ（Ｆ）を形成する、第２の固定機構（６６）と、
を備えるアセンブリ。
【請求項１０】
第１及び第２の固定機構（６２）及び（６６）がそれぞれのロールを取り囲むバンドを含む、請求項９記載のアセンブリ（１００）。
【請求項１１】
バンドがステンレス鋼である、請求項１０記載のアセンブリ（１００）。
【請求項１２】
有孔支持コア（５８）が多数の開口（６８）を有する中空シリンダーである、請求項９記載のアセンブリ（１００）。
【請求項１３】
第１の端部キャップ（７０）が有孔支持コア（５８）の一方の端部を閉じ、第２の端部キャップ（７６）が有孔支持コア（５８）の他方の端部を閉じており、第１の端部キャップ内に処理流体を導くための入口（７４）がある、請求項９記載のアセンブリ（１００）。
【請求項１４】
多孔質媒体（２４）が、相互に連結する細孔を有する延伸ポリテトラフルオロエチレン（ｅＰＴＦＥ）の膜を含んでいる、請求項９記載のアセンブリ（１００）。
【請求項１５】
第２の固定機構（６６）が半径方向で第１の固定機構（６２）と重なっている、請求項９記載のアセンブリ（１００）。
【請求項１６】
第１及び第２のロール（６０、６４）が複数のロールの少なくとも一部分である、請求項９記載のアセンブリ（１００）。
【請求項１７】
多孔質媒体（２４）の少なくとも１つの性質を改変するための装置（２０）であって、当該装置（２０）が、
多孔質媒体（２４）を通る流体の流れ（Ｆ）によって多孔質媒体（２４）を流体に曝露するための処理容器（２２）と、
処理容器（２２）を含むループ内で流体を移動させるための循環ポンプと、
処理容器（２２）内で多孔質媒体（２４）を支持するためのアセンブリ（１００）とを備えており、
上記アセンブリ（１００）が、
軸に沿って延在する有孔支持コア（５８）であり、多孔質媒体（２４）が有孔支持コア（５８）の回りに複数の層として巻き付けられて多孔質媒体（２４）の第１のロール（６０）を形成している、有孔支持コア（５８）と、
第１のロール（６０）の各端部において、第１のロール（６０）の端部に直径方向の圧力をかけて、第１のロール（６０）の端部から軸方向に流出する流体の流れを防止しながら、第１のロール（６０）に巻き付けられた多孔質媒体（２４）の細孔を通って半径方向に向けて流れる流体の流れ（Ｆ）を形成する第１の固定機構（６２）であり、追加量の多孔質媒体（２４）が第１のロール（６０）の回りに複数の層として巻き付けられて多孔質媒体（２４）の第２のロール（６４）形成している、第１の固定機構（６２）と、
第２のロール（６４）の巻き付けられた層の各端部において、第２のロール（６４）の端部に直径方向の圧力をかけて、第２のロール（６４）の端部から軸方向に流出する流体の流れを防止しながら、第２のロール（６４）に巻き付けられた多孔質媒体（２４）の細孔を通って半径方向に向けて流れる流体の流れ（Ｆ）を形成する、第２の固定機構（６６）とを含む、
装置。
【請求項１８】
第１及び第２の固定機構（６２）及び（６６）がそれぞれのロールを取り囲むバンドを含んでいる、請求項１７記載の装置（２０）。
【請求項１９】
有孔支持コア（５８）が多数の開口（６８）を有する中空シリンダーである、請求項１７記載の装置（２０）。
【請求項２０】
多孔質媒体（２４）が相互に連結する細孔を有する延伸ポリテトラフルオロエチレン（ｅＰＴＦＥ）の膜を含んでいる、請求項１７記載の装置（２０）。
【請求項２１】
第２の固定機構（６６）が半径方向で第１の固定機構（６２）と重なっている、請求項１７記載の装置（２０）。
【発明の詳細な説明】
【技術分野】
【０００１】
本発明は、一般に、膜のような多孔質媒体の処理に関する。特に、本発明は、多孔質媒体の少なくとも１つの性質を改変するように適合させた流体に媒体を曝露する処理の間その多孔質媒体を支持するためのアセンブリに関する。
【背景技術】
【０００２】
米国特許第７５３４４７１号は、多孔質媒体の少なくとも１つの性質を改変するための方法に関する。開示された方法は、多孔質媒体を用意し、その媒体を超臨界条件で流体に曝露する工程を含んでいる。媒体が流体に曝露されている間にその媒体の少なくとも１つの性質が改変される。流体は、媒体が有孔コア支持体上にロールとして形成された後にその媒体を通り抜ける。流体はそのコア支持体内から軸を横切る方向にロール媒体を貫通して流れる。ロール媒体の端部にバンドをかけてロール端部からの漏れを防ぐ。バンドはロールの外層のみに設けられる。
【０００３】
比較的に大きい長さの材料、比較的に大きい外径、又は両者を有するロールを処理する場合、多孔質媒体はロール内で不均一な半径方向の処理に付される可能性がある。一例として、有孔コアに最も近い媒体で比較的に高い撥油性能が、また、コアから最も遠い媒体で比較的に低い撥性が得られる。これは、大きい直径のロールにかけたときバンドによる一貫性のない圧縮によって引き起こされると考えられる。この非一貫性により、ロール状の多孔質媒体の端部から処理溶液が漏れる可能性が生じ得る。
【先行技術文献】
【特許文献】
【０００４】
【特許文献１】米国特許第７６３５０６２号明細書
【発明の概要】
【発明が解決しようとする課題】
【０００５】
長さが長い、直径が大きい、又は両方の大きいロールを、バンドによる一貫性のない圧縮を受けずに処理するという要望がある。
【課題を解決するための手段】
【０００６】
以下の概要は、本明細書で論ずるシステム及び／又は方法の幾つかの態様の基本的な理解を提供するための簡略な概要である。この概要は、本明細書で論ずるシステム及び／又は方法を網羅した概観ではない。また、重要／決定的な要素を特定したり、又はかかるシステム及び／又は方法の範囲を定めたりするためのものではない。その唯一の目的は、後に挙げるより詳細な説明の前置きとして幾つかの概念を簡略化した形態で示すことである。
【０００７】
１つの態様に従って、本発明は、多孔質媒体の少なくとも１つの性質を改変する流体に、その媒体を通る流体の流れによって、その媒体を曝露する処理の間その媒体を支持する方法を提供する。この方法は、軸に沿って延在する有孔支持コアを用意し、そのコアの回りに複数の層として媒体を巻き付けて媒体の第１のロールを形成することを含んでいる。また、この方法は、第１のロールの各端部に第１の固定機構を設けて、第１のロールの端部に直径方向の圧力を作用させて第１のロールの端部から軸方向に出る流体の流れを防止し、追加の量の媒体を複数の層として第１のロールの回りに巻き付けて媒体の第２のロールを形成することを含んでいる。また、この方法は、第２のロールの巻き付けた層の各端部に第２の固定機構を設けて、第２のロールの端部に直径方向の圧力を作用させて、第２のロールの端部から軸方向に出る流体の流れを防止する。
【０００８】
別の態様に従って、本発明は、多孔質媒体の少なくとも１つの性質を改変する流体に、その媒体を通る流体の流れによって、その媒体を曝露する処理の間その媒体を支持するためのアセンブリを提供する。このアセンブリは、軸に沿って延在する有孔支持コアを含んでいる。この媒体は、コアの回りに複数の層として巻き付けられて媒体の第１のロールを形成している。また、このアセンブリは、第１のロールの端部に直径方向の圧力を作用させて、第１のロールの端部から軸方向に出る流体の流れを防止する第１の固定機構を第１のロールの各端部に含んでいる。追加量の媒体が、第１のロールの回りに複数の層として巻き付けられて媒体の第２のロールを形成している。このアセンブリは、第２のロールの端部に直径方向の圧力を作用させて、第２のロールの端部から軸方向に出る流体の流れを防止する第２の固定機構を第２のロールの巻き付けられた層の各端部に含んでいる。
【０００９】
もう１つ別の態様に従って、本発明は、多孔質媒体の少なくとも１つの性質を改変するための装置を提供する。この装置は、その中で媒体を通る流体の流れによって媒体を流体に曝露するための処理容器、及び、この処理容器を含むループ内に流体を移動させるための循環ポンプを含んでいる。この装置はまた、処理容器内で媒体を支持するためのアセンブリを含んでいる。このアセンブリは、軸に沿って延在する有孔支持コアを含んでいる。媒体が、このコアの回りに複数の層として巻き付けられて媒体の第１のロールを形成している。このアセンブリはまた、第１のロールの端部に直径方向の圧力を作用させて第１のロールの端部から軸方向に流れ出る流体を防止する第１の固定機構を第１のロールの各端部に含んでいる。追加量の媒体が、第１のロールの回りに複数の層として巻き付けられて媒体の第２のロールを形成している。アセンブリは、第２のロールの端部に直径方向の圧力を作用させて第２のロールの端部から軸方向に流れ出る流体を防止する第２の固定機構を第２のロールの巻き付けられた層の各端部に含んでいる。
【図面の簡単な説明】
【００１０】
添付の図面を参照して以下の説明を読むことで、本発明が属する技術分野の当業者には本発明の上記及びその他の態様が明らかとなろう。
【図１】図１は、本発明の１つの態様に従って媒体を処理するのに使用する方法と装置の概略図である。
【図２】図２は、図１に示した装置の一部分の拡大断面図であり、本発明の１つの態様に従って多孔質媒体を支持するためのアセンブリを含んでいる。
【発明を実施するための形態】
【００１１】
本発明の１以上の態様を組み込んだ例示の実施形態を以下に記載し、図面に示す。これらの例示した例は本発明を限定するものではない。例えば、本発明の１以上の態様を他の実施形態及びさらに別の種類の装置に利用することができる。また、本明細書では便宜のためだけである種の術語を使用するが、これは本発明に制限を課するものではない。さらにまた、図面中で、同じ要素を示すには同じ参照数字を使用する。
【００１２】
本発明は膜のような多孔質媒体に対する処理に関する。かかる処理は、かかる媒体（例えば、膜）の少なくとも１つの性質の改変のためであり得る。一例の媒体は、相互に連結する細孔が全体に延在している延伸ポリテトラフルオロエチレン（ｅＰＴＦＥ）を含む膜である。改変することができる一例の性質は、撥油性（oleophobicity）又は撥水性（hydropholicity）又は界面エネルギーを含み得る。多孔質媒体（例えば、膜）及び／又は改変される１以上の性質に関する具体例は本発明を特に限定するものではない。多孔質膜及び改変することができる１以上の性質の具体的な例は当技術分野で公知である。幾つかの例が米国特許第７５３４４７１号に示されている。従って、多孔質膜及び１以上の性質について本明細書では詳細には述べない。また、本発明は、かかる多孔質媒体の１以上の性質のかかる改変に伴う方法論及び構造の改良にも関する。
【００１３】
本発明の１つの態様に従って媒体２４を処理する方法で使用する装置２０の一例を図１に概略的に示す。装置２０は媒体の処理の間多孔質媒体２４を保持するための処理容器２２を含んでいる。処理としては、処理中処理容器２２内で媒体２４に熱及び／又は圧力をかけることが含まれ得る。一例において、処理容器２２は、１００００ｐｓｉ（約６００ｂａｒ）までの圧力及び１００℃〜３００℃（２１２°Ｆ〜５７２°Ｆ）の範囲の高温に耐えることができるオートクレーブである。処理容器２２は、処理容器２２の壁を所定の温度に維持するために外部のヒーター３０を有している。処理容器２２は、以下でさらに述べるように所望の長さと幅のロールに巻いた量の媒体２４を処理するのに適当な大きさである。また、図示した例で、多孔質媒体２４の処理は、ＣＯ2、例えば超臨界ＣＯ2（ＳＣＣＯ2）のような多孔質媒体２４に流体を溶媒として送出することを含んでいる。しかし、特定の流体、その流体が多孔質媒体２４に対して起こす反応等が本発明に特別な制限をもたらすことはない。
【００１４】
処理容器２２は、この処理容器２２を含む流体循環ループの一部としてのライン２８により供給循環ポンプ２６に流体連結されている。この連結は処理容器２２の第１の流体ポートＰ１で行われる。処理容器２２はまた、流体循環ループ内でライン３２により温度制御装置３４、任意のスタティックミキサー３６及び処理導入容器３８にも連結されている。処理導入容器３８はライン４０を介してポンプ２６に連結されている。処理導入容器３８の両側に１つずつある２つのバイパスバルブ４２により、ライン４４を通る流れが処理導入容器３８を迂回することが可能である。温度制御装置３４により、ライン３２及びライン３２内に含まれる流体を加熱又は冷却することができる。ライン及び容器のいずれか又は全てを加熱又は冷却して、流体（ＣＯ2）が膨張するときの冷却又は流体（ＣＯ2）が圧縮されるときの加熱を補償することができる。
【００１５】
ポンプ２６はまた、ライン４８及びバルブ５０を介して溶媒貯蔵容器４６にも連結されている。この貯蔵容器４６は、液体ＣＯ2（溶媒）のような流体を圧力下で収容し、液相の流体（ＣＯ2）をポンプ２６に確実に送出するような温度に維持される。処理容器２２はまた、ライン５４及びバルブ５６を介して分離回収ステーション５２にも連結されている。この分離回収ステーション５２は大気に通気されるか、又は場合により（回収ステーション５２から延在する外側に向いたラインで表されるように）回収された流体（ＣＯ2）を再利用するために貯蔵容器４６に連結され得る。
【００１６】
媒体２４の処理方法に関する具体例については、中空有孔支持コア５８（図１に単に概略的に示す）が処理容器２２内に設けられる。有孔支持コア５８の内部は処理容器２２の第２のポートＰ２でライン３２と流体連通している。有孔支持コア５８は中空円筒状であり、（図で見られるように左右のラインに沿って延在する）中心軸Ａに沿って延在している。コア５８は、ステンレス鋼のような適切な材料から作成され、コア５８を通って半径方向に延在する多数の穿孔又は開口６８を含んでいる。図２に示されているように、開口６８は間隔をあけて外周の回りで有孔支持コア５８の軸方向の長さに沿って延在している。
【００１７】
処理容器２２と同様に有孔支持コア５８は所望の長さと幅のロール媒体２４を処理するのに適当な大きさである。有孔支持コア５８とロール媒体２４は図２に中間破断線（mid-way tear line）を伴って示されており、この破断された寸法が可変であることを示していることに留意されたい。処理容器２２と支持コア５８は水平に延在するものとして示されていることが分かる。しかし、処理容器２２とコア５８は垂直の方向又はその他任意の配向で配置することができるものと了解されたい。
【００１８】
未処理の媒体２４を、処理容器２２内に配置する前に有孔支持コア５８上にロール状に巻き付ける。支持コア５８、従ってその上にロール状に巻き付けた媒体２４は一般に中心軸Ａに対して同軸である。第１の量の媒体２４を支持コア５８上に複数の層として巻き付けて第１のロール６０を形成する。この量は変えられるが、一例においては長さ１００ヤードの媒体２４を巻き付けて第１のロール６０を形成する。従って、巻き付ける数は可変であり、図２に示した巻き数は限定されるものではない。
【００１９】
第１の固定機構６２が、第１のロール６０の各軸方向端部（すなわち、図２に見られる左右の端部）に隣接して設けられる。一例において、第１の固定機構６２は、ロール６０に対して半径方向内側へ直径方向の圧力をかけて、媒体をコア５８上に保持すると共に第１のロール６０の端部から軸方向に流れ出る流体を防止する、張力をかけた円形の締め付けバンドである。１つの特定の例において、第１の固定機構６２のバンドはステンレス鋼でできている。第１の固定機構６２は中心軸Ａに対して測定される第１の直径のところにある。
【００２０】
第１のロール６０が以上のようにしてコア５８上に巻き付けられ／組み立てられた後、第２のロール６４を第１のロール６０の回りに巻き付ける。図に示したように、第２のロール６４は第１の固定機構６２を覆うこともできる。一例において、追加の１００ヤードの媒体２４を第１のロール６０の回りに巻き付けて、支持コア５８及び第１のロール６０の回りに第２のロール６４を形成する。もちろん、長さと、従って巻き数は可変である。第１のロール６０と同様に、第２のロール６４は一般に軸Ａに対して支持コア５８と同軸である。巻き数は可変であり、図２に示した巻き数は限定するものではない。第１と第２のロール６０、６４は複数のロールの少なくとも一部分であることが認識されよう。
【００２１】
第２の固定機構６６が第２のロール６４の各軸方向の端部に設けられる。一例において、第２の固定機構６６は、ロール６４に対して半径方向内側へ直径方向の圧力をかけて、第２のロール６４を第１のロール６０上に保持すると共に第２のロール６４の端部から軸方向に流れ出る流体を防ぐ円形の張力をかけた締め付けバンドである。１つの特定の例において、第１の固定機構６２を提供するバンドはステンレス鋼でできている。
【００２２】
図示した例において、第２の固定機構６６（例えば、第２のバンド）は第１の固定機構６２（例えば、第１のバンド）の半径方向真上に配置されて半径方向に重なっている。別の例において、第２の固定機構６６（例えば、第２のバンド）は重ならないように配置される（例えば、少しずらして、第２のロール６４の軸方向先端により近くする）。第２の固定機構６２は中心軸Ａに対して測定して第２の直径のところにあり、この第２の直径は第１の固定機構６２の第１の直径位置より大きい。
【００２３】
こうして、支持コア５８並びに第１及び第２の固定機構６２及び６６は、アセンブリ１００の、多孔質媒体２４を支持するための部分を提供する。この支持は、媒体２４の少なくとも１つの性質を改変する流体の、媒体２４を通る流体の流れＦに媒体２４を曝露する処理の間提供される。
【００２４】
流れる流体（ＣＯ2）は、図２で３つの矢印Ｆにより示されているように、有孔支持コア５８に入り、有孔支持コア５８の穿孔を通り、また多孔質媒体２４の第１及び第２のロール６０及び６４を通って流れる。固定機構６２及び６６は充分に固く締まっているので、流体は、ロール６０及び６４の端部から軸方向に流れ出ることはできないが、図２に上下に延在する矢印Ｆによって示されるようにロール６０及び６４のあらゆる巻き内の媒体の細孔を通って半径方向にすなわち軸を横切ってのみ流れることができる。コア５８並びにロール６０及び６４は、ロール６０及び６４が処理容器２２の内部に接触することなく、また流れが媒体２４の第２のロール６４の外側の広がり全体から、かつその周りで半径方向に起こることができるような大きさであると共に処理容器２２内に支持されている。
【００２５】
開口６８を通して、従って第１及び第２のロール６０及び６４を通して流れを導くにはあらゆる適切な構造、配置及び連結を使用し得るが、コア５８に対する一例の支持及びキャップ構造が図に示されている。先ず最初に図２に戻ると、コア５８は、１つの軸方向端部が、溶接及び／又は他の方法でコア５８に固定されたコア端部キャップ７０で密閉されている。コア端部キャップ７０は、ネジ式継手７４（図２）によって、処理容器２２の取り外し可能なように固定された端部キャップ７２（図１）に取り付けられる。ネジ式継手７４は、第２のポートＰ２を提供する貫通孔を有している。言い換えると、ネジ式継手７４の貫通孔はライン３２と流体連通している。従って、コア５８の内部はライン３２と流体連結している。
【００２６】
コア５８の他方の軸方向端部は、コア５８のその端部から流れ出る流体を防ぐ第２の取り外し可能なように固定可能なコア端部キャップ７６を有する。他の選択可能な全ての流路を遮断した場合、コア５８内の開口６８は、矢印Ｆ（図２）により示されるように、コア５８の内側から、媒体２４の全ての層内の細孔を通って、媒体のロールの外部と処理容器２２の内部壁８０との間の空間７８（図１）内へ流体の流れを導く。流体は処理容器２２内の空間７８からポートＰ１を通って出、ライン２８へ流れる。
【００２７】
すぐに分かるように、本発明の１つの態様は、複数のロール（例えば、６０、６４）に伴って複数の組のバンド（例えば、６２、６６）を使用することである。図示した例は２組のバンド（例えば、６２、６６）と２つのロール（例えば、６０、６４）を有する。複数の組のバンドの使用は単一の組のバンドの使用と比べて改良を提供する。例えば、複数の組のバンドを使用すると、有孔支持コア５８上に巻いた多孔質シート材料のより大きいロール（より長い長さ、より大きい直径又は両方）の処理が可能になる。複数のバンドにより、半径方向内側への圧縮力の均一な作用及び／又は効果的な密閉を達成することができる。また、複数のロール内の材料は、単一の組のバンドのみでの処置を使用して処理した材料と比較して低下した細孔率を有し得る。かかる低下した細孔率を有する材料は、一般に、支持コア５８の内部の増大した圧力及び／又は複数のロールの半径方向最も内側と複数のロールの半径方向最も外側との間の増大した圧力降下を引き起こす。また、増大した直径で複数の組のバンドを使用すると、単一の組のバンドだけを使用する場合と比較して、ロールの端部を介した漏れを防ぐのに役立たせるためのロール状に巻いた多孔質シート材料の端部のより一貫した圧縮が提供される。
【００２８】
以上、例示の実施形態を参照して本発明を説明して来た。当業者には、本明細書を読み理解することで修正及び変更が明らかであろう。本発明の１以上の態様を含む例示の実施形態は、かかる修正及び変更が特許請求の範囲内に入る限りそれら全てを包含するものである。
【図１】
0005798849.tif 000002
【図２】
0005798849.tif 000003